(57)【要約】【課題】改修用サッシ枠を既設サッシ枠の内側に収まり良く簡便に取り付けることができるようにする。【解決手段】建物Ｃに固定してある既設サッシ枠Ａが既設下側枠部分１と左右の既設縦枠部分と既設上側枠部分３とからなる枠本体４と、その内側に突出する突条部材とを備え、既設サッシ枠に対して、その内側に改修用サッシ枠Ｂを取り付けるサッシ枠改修工法であって、改修用サッシ枠を、改修用下側枠部分６と左右の改修用縦枠部分と改修用上側枠部分８との夫々を互いに一体に組み付けて予め製作しておき、改修用サッシ枠を既設サッシ枠の内側に対して建物外側から奥行き方向に嵌め込めるように、既設サッシ枠における少なくとも既設下側枠部分における突条部材の一部又は全部を撤去し、その後、改修用サッシ枠を既設サッシ枠の内側に対して建物外側から奥行き方向に嵌め込んで取り付ける。【選択図】図３
2007308928.tif 000002
【特許請求の範囲】
【請求項１】
建物に固定してある既設サッシ枠が、建物側に沿って固定される既設下側枠部分と左右の既設縦枠部分と既設上側枠部分とからなる枠本体と、その枠本体の内側に枠周方向に沿って突出する突条部材とを備え、前記既設サッシ枠に対して、その内側に改修用サッシ枠を取り付けるサッシ枠改修工法であって、
前記改修用サッシ枠を、改修用下側枠部分と左右の改修用縦枠部分と改修用上側枠部分との夫々を互いに一体に組み付けて予め製作しておき、
前記改修用サッシ枠を前記既設サッシ枠の内側に対して建物外側から奥行き方向に嵌め込めるように、前記既設サッシ枠における少なくとも既設下側枠部分における前記突条部材の一部又は全部を撤去し、その後、前記改修用サッシ枠を前記既設サッシ枠の内側に対して建物外側から奥行き方向に嵌め込んで取り付けるサッシ枠改修工法。
【請求項２】
前記既設サッシ枠の上下方向に沿う板材部分において前記改修用サッシ枠をビス止めする請求項１記載のサッシ枠改修工法。
【請求項３】
前記改修用サッシ枠を、シール材を介して、前記既設サッシ枠に接当させて取り付ける請求項１又は２記載のサッシ枠改修工法。
【請求項４】
前記改修用サッシ枠に、建物外側から見て、前記既設サッシ枠に重なる重なり部を設けておく請求項１〜３のいずれか１項記載のサッシ枠改修工法。
【発明の詳細な説明】
【技術分野】
【０００１】
本発明は、建物に固定してある既設サッシ枠が、建物側に沿って固定される既設下側枠部分と左右の既設縦枠部分と既設上側枠部分とからなる枠本体と、その枠本体の内側に枠周方向に沿って突出する突条部材とを備え、前記既設サッシ枠に対して、その内側に改修用サッシ枠を取り付けるサッシ枠改修工法に関する。
【背景技術】
【０００２】
上記サッシ枠改修工法では、従来、改修用サッシ枠を建物外側から既設サッシ枠の内側に取り付けることができるように、既設サッシ枠における枠本体の内側に突出している突条部材を適宜撤去して、改修用サッシ枠を構成している改修用下側枠部分と左右の改修用縦枠部分と改修用上側枠部分との夫々を、改修現場において既設サッシ枠の内側に各別に取り付けている（例えば、特許文献１参照）。
【０００３】
【特許文献１】特開２００１−１９３３５９号公報
【発明の開示】
【発明が解決しようとする課題】
【０００４】
この為、各改修用枠部分の夫々を、改修用枠部分どうしの相対位置に狂いが生じないように、また、改修用枠部分どうしの接続部に隙間ができないように、改修現場において既設サッシ枠の内側に精度良く取り付ける必要があり、各改修用枠部分の個別の取り付け作業に手間が掛かるとともに、既設サッシ枠が歪んでいるような場合は、改修用枠部分がその歪みに合わせて取り付けられるおそれがあり、改修用サッシ枠の全体を収まり良く取り付けにくい欠点がある。
本発明は上記実情に鑑みてなされたものであって、改修用サッシ枠を既設サッシ枠の内側に収まり良く簡便に取り付けることができるようにすることを目的とする。
【課題を解決するための手段】
【０００５】
本発明の第１特徴構成は、建物に固定してある既設サッシ枠が、建物側に沿って固定される既設下側枠部分と左右の既設縦枠部分と既設上側枠部分とからなる枠本体と、その枠本体の内側に枠周方向に沿って突出する突条部材とを備え、前記既設サッシ枠に対して、その内側に改修用サッシ枠を取り付けるサッシ枠改修工法であって、前記改修用サッシ枠を、改修用下側枠部分と左右の改修用縦枠部分と改修用上側枠部分との夫々を互いに一体に組み付けて予め製作しておき、前記改修用サッシ枠を前記既設サッシ枠の内側に対して建物外側から奥行き方向に嵌め込めるように、前記既設サッシ枠における少なくとも既設下側枠部分における前記突条部材の一部又は全部を撤去し、その後、前記改修用サッシ枠を前記既設サッシ枠の内側に対して建物外側から奥行き方向に嵌め込んで取り付ける点にある。
【０００６】
〔作用及び効果〕
改修用サッシ枠を、改修用下側枠部分と左右の改修用縦枠部分と改修用上側枠部分との夫々を互いに一体に組み付けて予め製作しておき、改修用サッシ枠を既設サッシ枠の内側に対して建物外側から奥行き方向に嵌め込めるように、既設サッシ枠における少なくとも既設下側枠部分における突条部材の一部又は全部を撤去し、その後、改修用サッシ枠を既設サッシ枠の内側に対して建物外側から奥行き方向に嵌め込んで取り付けるので、改修用枠部分どうしの相対位置に狂いが生じないように、また、改修用枠部分どうしの接続部に隙間ができないように、製作精度を確保し易い工場などで予め製作してある改修用サッシ枠を使用して、その改修用サッシ枠を改修現場において改修用枠部分どうしの相対位置を特に気にすることなく、既設サッシ枠の内側に収まり良く簡便に取り付けることができる。
【０００７】
本発明の第２特徴構成は、前記既設サッシ枠の上下方向に沿う板材部分において前記改修用サッシ枠をビス止めする点にある。
【０００８】
〔作用及び効果〕
既設サッシ枠の上下方向に沿う板材部分において改修用サッシ枠をビス止めするので、上下方向に沿う板材部分にビス挿通用の貫通孔やビスねじ込み用の雌ねじ孔を横向きに形成して改修用サッシ枠をビス止めしても、それらの孔を通して雨水や結露水が建物側に浸入するおそれが少ない。
【０００９】
本発明の第３特徴構成は、前記改修用サッシ枠を、シール材を介して、前記既設サッシ枠に接当させて取り付ける点にある。
【００１０】
〔作用及び効果〕
改修用サッシ枠を、シール材を介して、既設サッシ枠に接当させて取り付けるので、改修用サッシ枠と既設サッシ枠との間に気密性や防水性を損なう隙間ができないように、簡便に施工できる。
【００１１】
本発明の第４特徴構成は、前記改修用サッシ枠に、建物外側から見て、前記既設サッシ枠に重なる重なり部を設けておく点にある。
【００１２】
〔作用及び効果〕
改修用サッシ枠に、建物外側から見て、既設サッシ枠に重なる重なり部を設けておくので、既設サッシ枠が譬え歪んでいても、改修用サッシ枠の重なり部を既設サッシ枠に重ねて、既設サッシ枠の歪みが目立たないように体裁良く改修用サッシ枠を取り付けることができる。
【発明を実施するための最良の形態】
【００１３】
以下に本発明の実施の形態を図面に基づいて説明する。
図１，図２は、建物Ｃに固定してある改修前のアルミ合金製既設サッシ枠Ａを示し、図３〜図５は、既設サッシ枠Ａに対して、その内側にアルミ合金製改修用サッシ枠Ｂを取り付ける本発明によるサッシ枠改修工法を示している。
【００１４】
前記改修前の既設サッシ枠Ａは、図１，図２に示すように、建物Ｃ側に沿って固定されている既設下側枠部分１と左右の既設縦枠部分２と既設上側枠部分３とからなる略矩形の既設枠本体４と、その既設枠本体４の内側に枠周方向に沿って突出する戸車用レール５ａや障子用のガイドレール５ｂなどの複数の帯板状既設突条部材５を一体に備えている。
【００１５】
前記改修用サッシ枠Ｂは、図３〜図７に示すように、ねじ溝２１にタッピングビス２２をねじ込んで、改修用下側枠部分６と左右の改修用縦枠部分７と改修用上側枠部分８との夫々を互いに一体に工場などで組み付けて予め製作してある略矩形の改修用枠本体９に、その枠周方向に沿って内側に突出する戸車用レール１０ａや障子１１用のガイドレール１０ｂなどの複数の帯板状改修用突条部材１０を一体に備え、既設サッシ枠Ａ側に向けてサッシ奥行き方向から接当させる枠部分１２には帯状のシール材１３を張り付けてある。
【００１６】
また、改修用下側枠部分６と左右の改修用縦枠部分７と改修用上側枠部分８との夫々には、既設サッシ枠Ａの内側に改修用サッシ枠Ｂを取り付けた状態で、建物外側から見て、既設サッシ枠Ａの外向き面側に重なる重なり部１４を設けてある。
【００１７】
そして、改修用サッシ枠Ｂを既設サッシ枠Ａの内側に対して建物外側からサッシ奥行き方向に嵌め込めるように、既設サッシ枠Ａにおける少なくとも既設下側枠部分１における既設突条部材５の一部又は全部を撤去し、その後、改修用サッシ枠Ｂを既設サッシ枠Ａの内側に対して建物外側からサッシ奥行き方向に嵌め込んで取り付けてある。
【００１８】
つまり、図３，図４で示す例においては、改修用サッシ枠Ｂの外周形状や寸法に応じて、既設下側枠部分１においては、建物内側の戸車用レール５ａ及び最も建物内側の既設突条部材５ｃとを残して、残りの既設突条部材５を切削により除去するとともに、左右の既設縦枠部分２及び既設上側枠部分３においては、最も建物内側の既設突条部材５ｃを残して、残りの既設突条部材５を切削により除去する。
【００１９】
次に、改修用サッシ枠取り付け用のアルミ合金製アタッチメント１５を横向きのビス１６で既設サッシ枠Ａに固定した後、改修用サッシ枠Ｂを、既設サッシ枠Ａの内側に対して建物外側からサッシ奥行き方向に嵌め込み、シール材１３を介して、既設サッシ枠Ａに当接させる。
【００２０】
次に、改修用下側枠部分６とアタッチメント１５との重なり部分に貫通孔を形成して両者を縦向きのビス１７で固定し、改修用下側枠部分６及び左右の改修用縦枠部分７との夫々と、既設サッシ枠Ａの上下方向に沿う板材部分１８との重なり部分に貫通孔を形成して両者を横向きのビス１９で固定するとともに、改修用上側枠部分８と既設上側枠部分３との重なり部分に貫通孔を形成して両者を縦向きビス２０で固定して、改修用サッシ枠Ｂに対応する障子１１を適宜嵌め込む。
【００２１】
〔その他の実施形態〕
１．本発明によるサッシ枠改修工法は、実施形態で示した形状の既設サッシ枠に対して、実施形態で示した形状の改修用サッシ枠を取り付ける工法に限定されず、各種形状・寸法の既設サッシ枠に対して、各種形状・寸法の改修用サッシ枠を取り付けて改修する場合に使用しても良い。
２．本発明によるサッシ枠改修工法は、鋼などの金属製や樹脂製の既設サッシ枠を改修するために使用しても良い。
３．本発明によるサッシ枠改修工法は、左右の既設縦枠部分２及び既設上側枠部分３の突条部材５は撤去せずに、既設下側枠部分１における突条部材５の一部又は全部のみを撤去して、改修用サッシ枠Ｂを取り付けても良い。
【図面の簡単な説明】
【００２２】
【図１】改修前の既設サッシ枠を示す縦断面図
【図２】改修前の既設サッシ枠を示す横断面図
【図３】サッシ枠改修工法を示す縦断面図
【図４】サッシ枠改修工法を示す縦断面図
【図５】サッシ枠改修工法を示す横断面図
【図６】サッシ枠改修工法を示す横断面図
【図７】サッシ枠改修工法を示す斜視図
【符号の説明】
【００２３】
１  既設下側枠部分
２  既設縦枠部分
３  既設上側枠部分
４  枠本体
５  突条部材
６  改修用下側枠部分
７  改修用縦枠部分
８  改修用上側枠部分
１３  シール材
１４  重なり部
１８  板材部分
Ａ  既設サッシ枠
Ｂ  改修用サッシ枠
Ｃ  建物
【図１】
2007308928.tif 000003
【図２】
2007308928.tif 000004
【図３】
2007308928.tif 000005
【図４】
2007308928.tif 000006
【図５】
2007308928.tif 000007
【図６】
2007308928.tif 000008
【図７】
2007308928.tif 000009